(57)【要約】【課題】照明器具が長尺状であっても、埋込本体内で上昇動作を停止して収納された照明器具の水平バランスを容易に確保することができる昇降形照明装置を提供する。【解決手段】本発明にかかる昇降形照明装置１は、天井内に埋め込んで設置される埋込本体２と、この埋込本体２に配設された昇降装置４により昇降動作させられる平面視矩形状の照明器具６とを備えており、前記照明器具６は前記埋込本体２内で上昇動作を停止する構成とされている。そして、前記照明器具６の上面６ａには緩衝部材１１を上向きの状態で取り付けており、かつ、この緩衝部材１１は上昇動作を停止した前記照明器具６の上面６ａと前記埋込本体２の内奥面２ｂとの間に介在して配置されることを特徴としている。【選択図】    図１
2005011682.tif 000002
【特許請求の範囲】
【請求項１】
天井内に埋め込んで設置される埋込本体と、この埋込本体に配設された昇降装置により昇降動作させられる平面視矩形状の照明器具とを備え、前記照明器具は前記埋込本体内で上昇動作を停止する構成とされた昇降形照明装置であって、
前記照明器具の上面には緩衝部材を取り付けており、かつ、この緩衝部材は上昇動作を停止した前記照明器具の上面と前記埋込本体の内奥面との間に介在して配置されるものであることを特徴とする昇降形照明装置。
【請求項２】
前記緩衝部材を少なくとも前記照明器具の上面の長辺方向の両端位置に取り付けていることを特徴とする請求項１に記載の昇降形照明装置。
【請求項３】
前記緩衝部材は前記埋込本体の内奥面側に突出する状態で屈曲させられた板材からなり、前記照明器具の上面側へと接近する収縮変形が困難な固定形状を有することを特徴とする請求項２に記載の昇降形照明装置。
【請求項４】
前記緩衝部材は前記埋込本体の内奥面側に突出する状態で屈曲させられた板材からなり、前記照明器具の上面側へと接近する収縮変形が容易な可動形状を有することを特徴とする請求項２に記載の昇降形照明装置。
【請求項５】
前記緩衝部材は前記照明器具の上面側へと接近する収縮変形が可能な弾性体であることを特徴とする請求項２に記載の昇降形照明装置。
【請求項６】
前記弾性体は伸縮性を有する樹脂材料から作製されていることを特徴とする請求項５に記載の昇降形照明装置。
【請求項７】
前記弾性体はバネ部品であることを特徴とする請求項５に記載の昇降形照明装置。
【請求項８】
前記緩衝部材は伸縮性を有する樹脂材料から作製された弾性体であり、かつ、これらの緩衝部材を前記照明器具の上面の長辺方向及び短辺方向それぞれの両端位置に取り付けていることを特徴とする請求項１に記載の昇降形照明装置。
【発明の詳細な説明】
【０００１】
【発明の属する技術分野】
本発明は昇降形照明装置にかかり、特には、その構造に関する。
【０００２】
【従来の技術】
天井面の高い体育館や工場、また、商業施設等では、照明器具のランプ交換や保守点検等の作業を床面近くで安全に実行するため、照明器具を昇降動作させることが可能な昇降形照明装置が使用されている。そして、図示省略しているが、このような昇降形照明装置のうちには、天井内に埋め込まれた埋込本体と、この埋込本体に配設された電動式昇降装置を用いて昇降動作させられる平面視矩形状の照明器具とを備えたものがある。
【０００３】
すなわち、この昇降形照明装置では、照明器具の略中央位置、つまり、平面視矩形状とされた照明器具の上面における長辺方向及び短辺方向の略中央位置に対し、電動式昇降装置によって巻き取られ、かつ、巻き出されるワイヤ（索条）の下端末が連結されている。そのため、照明器具は作業上の必要に応じて下降動作させられ、また、上昇動作後に停止して埋込本体に収納される。
【０００４】
さらに、照明器具の所定位置にはバランスウエイト（重り）が取り付けられており、バランスウエイトによっては照明器具の昇降動作時及び上昇停止時における水平バランスが確保されるようになっている。なお、昇降形照明装置の具体的な従来例としては、傾斜した天井面に設置して使用される特許文献１で示すような昇降形照明装置が周知である。
【０００５】
【特許文献１】
特開平２−１２３６０９号公報
【０００６】
【発明が解決しようとする課題】
ところで、前記従来の形態にかかる昇降形照明装置においては、つぎのような不都合が生じることになっていた。すなわち、前述した昇降形照明装置では、昇降動作する構成とされた照明器具が埋込本体内で上昇動作を停止して収納されるのであるが、この照明器具が長尺状であればある程、埋込本体内に収納された時点での水平バランスが確保されがたくなってしまう。
【０００７】
従って、上昇動作を停止した照明器具が多少傾斜した状態のままで埋込本体内に収納されることがあり、このような状態であると、照明器具が埋込本体内でガタつくことが起こる。そして、この種の不都合を解消するには、照明器具に取り付けられたバランスウエイトを微妙に調整することが必要となるが、昇降形照明装置が体育館や工場等の高い天井に設置されているため、バランスウエイトを調整する作業自体が困難なのが実情である。
【０００８】
本発明は、これらの不都合に鑑みて創案されたものであり、照明器具が長尺状であったとしても、埋込本体内で上昇動作を停止して収納された照明器具の水平バランスを容易に確保することができる昇降形照明装置の提供を目的としている。
【０００９】
【課題を解決するための手段】
請求項１に記載の昇降形照明装置は、天井内に埋め込んで設置される埋込本体と、この埋込本体に配設された昇降装置により昇降動作させられる平面視矩形状の照明器具とを備え、前記照明器具は前記埋込本体内で上昇動作を停止する構成とされている。そして、前記照明器具の上面には緩衝部材を取り付けており、かつ、この緩衝部材は上昇動作を停止した前記照明器具の上面と前記埋込本体の内奥面との間に介在して配置されるものであることを特徴としている。
【００１０】
請求項２に記載の昇降形照明装置は請求項１に記載したものであり、前記緩衝部材を少なくとも前記照明器具の上面の長辺方向の両端位置に取り付けていることを特徴としている。
【００１１】
請求項３記載の昇降形照明装置は請求項２に記載したものであって、前記緩衝部材は前記埋込本体の内奥面側に突出する状態で屈曲させられた板材からなり、前記照明器具の上面側へと接近する収縮変形が困難な固定形状を有することを特徴としている。
【００１２】
請求項４記載の昇降形照明装置は請求項２に記載したものであって、前記緩衝部材は前記埋込本体の内奥面側に突出する状態で屈曲させられた板材からなり、前記照明器具の上面側へと接近する収縮変形が容易な可動形状を有することを特徴としている。
【００１３】
請求項５記載の昇降形照明装置は請求項２に記載したものであり、前記緩衝部材は前記照明器具の上面側へと接近する収縮変形が可能な弾性体であることを特徴としている。
【００１４】
請求項６記載の昇降形照明装置は請求項５に記載したものであり、前記弾性体は伸縮性を有する樹脂材料から作製されていることを特徴としている。
【００１５】
請求項７記載の昇降形照明装置は請求項５に記載したものであり、前記弾性体はバネ部品であることを特徴としている。
【００１６】
請求項８記載の昇降形照明装置は請求項１に記載したものであって、前記緩衝部材は伸縮性を有する樹脂材料から作製された弾性体であり、かつ、これらの緩衝部材を前記照明器具の上面の長辺方向及び短辺方向それぞれの両端位置に取り付けていることを特徴としている。
【００１７】
【発明の実施の形態】
（実施の形態１）
図１は実施の形態１にかかる昇降形照明装置の全体構成を示す外観斜視図、図２は昇降形照明装置をその長辺方向から半断面状態として見た全体構成を示す側面図であり、図３は昇降形照明装置をその短辺方向から半断面状態として見た全体構成を示す側面図である。そして、図１は照明器具が下降動作中の状態を示しており、図２及び図３は照明器具が埋込本体に収納された状態を示している。
【００１８】
実施の形態１にかかる昇降形照明装置１は、天井（図示省略）内に埋め込んで設置される有底箱形の埋込本体２と、この埋込本体２の上側突起部２ａ間に架台３を介して配設された電動式昇降装置４と、この電動式昇降装置４によりワイヤ（索条）５を用いて昇降動作させられる平面視矩形状で有底箱形の照明器具６とを備えている。そして、複数のランプ７を内蔵した照明器具６は、埋込本体２内で上昇動作を停止する構成となっている。
【００１９】
なお、図中の符号８は天井材であり、この天井材８によって天井面が構成されている。また、電動式昇降装置４そのものの具体的な構造は、従来の昇降形照明装置が備える電動式昇降装置と何ら異ならないので、ここでの説明は省略する。
【００２０】
すなわち、昇降形照明装置１にあっては、照明器具６の上面６ａにおける長辺方向及び短辺方向の略中央位置に対し、電動式昇降装置４によって巻き取られ、かつ、巻き出される２本のワイヤ５の下端末と連結された吊り部材９が配設されている。そこで、この照明器具６は、作業上の必要性に応じて電動式昇降装置４により下降動作させられる。
【００２１】
また、照明器具６は、電動式昇降装置４により上昇動作させられたうえ、上昇動作の停止に伴って埋込本体２内に収納される。さらに、この照明器具６の長辺方向及び短辺方向に沿う側面６ｂ，６ｃそれぞれの所定位置ごとには複数個のガイドローラ１０が配設されており、埋込本体２の内部に至るまで上昇動作した照明器具６はこれらのガイドローラ１０によって案内されることになっている。
【００２２】
一方、照明器具６の上面６ａにおける長辺方向の両端位置には、上昇動作を停止した照明器具６の上面６ａと埋込本体２の内奥面２ｂとの間に介在して配置される緩衝部材１１が上向きで取り付けられている。そして、これらの緩衝部材１１は、埋込本体２の内奥面２ｂ側に向かって突出するように屈曲させられた板材から作製されており、これら緩衝部材１１の各々は、埋込本体２の内奥面２ｂに当接した場合でも、照明器具６の上面６ａへと接近する収縮変形が困難な固定形状を有している。
【００２３】
このような緩衝部材１１が照明器具６の上面６ａにおける長辺方向の両端位置に取り付けられているため、昇降形照明装置１にあっては、上昇動作を停止した照明器具６が埋込本体２内に収納された時点で緩衝部材１１が照明器具６の上面６ａと埋込本体２の内奥面２ｂとの間に介在することになる。その結果、埋込本体２内に収納された照明器具６の水平バランスは、安定的に確保される。
【００２４】
すなわち、この時点においては、板材からなる緩衝部材１１が照明器具６の上面６ａと埋込本体２の内奥面２ｂとの間に介在して配置されており、かつ、これらの緩衝部材１１によって照明器具６の水平バランスが確保される。従って、本実施の形態にかかる昇降形照明装置１であれば、照明器具６が埋込本体２内でガタつくことは起こらない。
【００２５】
なお、昇降形照明装置１では、照明器具６の上面６ａに取り付けられる緩衝部材１１が単一枚の板材から作製されるとしているが、このようなものに限定されず、例えば、緩衝部材１１となる板材の当接部分、つまり、埋込本体２の内奥面２ｂと当接する部分に対し、スリット１１ａを形成しておいてもよい。
【００２６】
（実施の形態２）
図４は実施の形態２にかかる昇降形照明装置の全体構成を示す外観斜視図、図５は昇降形照明装置をその長辺方向から半断面状態として見た全体構成を示す側面図であり、図６は昇降形照明装置をその短辺方向から半断面状態として見た全体構成を示す側面図である。そして、図４は照明器具が下降動作中の状態を示しており、図５及び図６は照明器具が埋込本体に収納された状態を示している。
【００２７】
なお、実施の形態２にかかる昇降形照明装置の全体構成は、実施の形態１に記載したものと基本的に異ならない。従って、図４〜図６において、図１〜図３と互いに同一となる部品、部分については同一符号を付し、ここでの詳しい説明は省略する。
【００２８】
実施の形態２にかかる昇降形照明装置２１は、天井内に埋め込んで設置される埋込本体２と、この埋込本体２に配設された電動式昇降装置４と、この電動式昇降装置４によりワイヤ５を用いて昇降動作させられる平面視矩形状の照明器具６とを備えている。そして、ランプ７を内蔵した照明器具６の上面６ａにおける長辺方向及び短辺方向の略中央位置には吊り部材９が配設されており、この吊り部材９には、電動式昇降装置４によって巻き取られ、かつ、巻き出される２本のワイヤ５の下端末が連結されている。
【００２９】
そこで、昇降形照明装置２１が備える照明器具６は、実施の形態１の場合と同じく、作業上の必要性に応じて電動式昇降装置４でワイヤ５を用いて下降動作させられる。また、この照明器具６は、電動式昇降装置４によって上昇動作させられ、かつ、上昇動作を停止して埋込本体２内に収納される。
【００３０】
さらに、照明器具６の上面６ａにおける長辺方向の両端位置には、上昇動作を停止した照明器具６の上面６ａと埋込本体２の内奥面２ｂとの間に介在して配置される緩衝部材２２が取り付けられている。そして、これら緩衝部材２２のそれぞれは、埋込本体２の内奥面２ｂ側に突出する状態として屈曲させられ、かつ、互いに対向する傾斜状態として配置された一対ずつの板材から構成されており、各板材は埋込本体２の内奥面２ｂに当接したのに伴って照明器具６の上面６ａへと接近する収縮変形が容易な可動形状を有している。
【００３１】
これらの緩衝部材２２が照明器具６の上面６ａにおける長辺方向の両端位置に取り付けられているため、上昇動作を停止した照明器具６が埋込本体２内に収納された時点で緩衝部材２２が照明器具６の上面６ａと埋込本体２の内奥面２ｂとの間に介在することになり、その結果として照明器具６の水平バランスが良好となる。なお、固定形状を有する緩衝部材１１に比べた場合、可動形状を有する緩衝部材２２であると、埋込本体２の内奥面２ｂに対する密着性が増すという利点が確保される。
【００３２】
すなわち、このような構成とされた昇降形照明装置２１であるとき、照明器具６の収納時点においては、照明器具６の上面６ａと埋込本体２の内奥面２ｂとの間に介在する一対ずつの板材からなる緩衝部材２２が埋込本体２の内奥面２ｂに当接し、これらの緩衝部材２２が照明器具６の上面６ａへと接近するよう収縮変形するので、照明器具６の水平バランスが容易に確保されることとなる。
【００３３】
（実施の形態３）
図７は実施の形態３にかかる昇降形照明装置の全体構成を示す外観斜視図、図８は昇降形照明装置をその長辺方向から半断面状態として見た全体構成を示す側面図であり、図９は昇降形照明装置をその短辺方向から半断面状態として見た全体構成を示す側面図である。そして、図７は照明器具が下降動作中の状態を示しており、図８及び図９は照明器具が埋込本体に収納された状態を示している。
【００３４】
なお、実施の形態３にかかる昇降形照明装置の全体構成も、実施の形態１及び実施の形態２で説明した昇降形照明装置と基本的に異ならない。従って、図７〜図９において、図１〜図６と互いに同一となる部品、部分については同一符号を付し、ここでの詳しい説明は省略する。
【００３５】
実施の形態３にかかる昇降形照明装置２５も、天井内に埋め込んで設置される埋込本体２と、この埋込本体２に配設された電動式昇降装置４と、この電動式昇降装置４によりワイヤ５を用いて昇降動作させられる平面視矩形状の照明器具６とを備えている。そして、照明器具６の上面６ａにおける長辺方向及び短辺方向の略中央位置には吊り部材９が配設されており、この吊り部材９には、電動式昇降装置４によって巻き取られ、かつ、巻き出される２本のワイヤ５の下端末が連結されている。
【００３６】
従って、昇降形照明装置２５が備えている照明器具６は、実施の形態１及び実施の形態２と同様、作業上の必要性に応じて電動式昇降装置４でワイヤ５を用いながら下降動作させられる。また、この照明器具６は、電動式昇降装置４によって上昇動作させられることになり、埋込本体２内で上昇動作を停止する結果として埋込本体２内に収納される。
【００３７】
さらに、照明器具６の上面６ａにおける長辺方向の両端位置には、上昇動作を停止した照明器具６の上面６ａと埋込本体２の内奥面２ｂとの間に介在して配置される緩衝部材２７が取り付けられている。そして、これらの緩衝部材２７は、埋込本体２の内奥面２ｂに当接したことによって照明器具６の上面６ａ側へと接近する収縮変形が可能な弾性体、具体的には、伸縮性を有する樹脂材料から作製された弾性体であることになっている。
【００３８】
すなわち、実施の形態３にかかる昇降形照明装置２５では、樹脂材料から作製された弾性体が緩衝部材２７であるため、照明器具６が上昇動作を停止して埋込本体２内に収納された時点における照明器具６の水平バランスが良好となる。このような構成の昇降形照明装置２５であれば、照明器具６の上面６ａにおける長辺方向の両端位置に緩衝部材２２を取り付けているので、上昇動作を停止した照明器具６が埋込本体２内に収納された時点で照明器具６の水平バランスが良好となる。
【００３９】
なお、本実施の形態にあっては、緩衝部材２７である弾性体が樹脂材料から作製されるとしているが、樹脂材料から作製された弾性体に限られることはなく、例えば、圧縮コイルバネ等であるバネ部品が弾性体であるとし、バネ部品を用いて緩衝部材２７を構成してもよいことは勿論である。しかしながら、樹脂材料からなる緩衝部材２７である場合には、埋込本体２の内奥面２ｂに対する良好な密着性が得られる。
【００４０】
さらに、昇降形照明装置２５では、平面視矩形状とされた照明器具６の上面６ａにおける長辺方向の両端位置のみに対し、樹脂材料から作製された弾性体である緩衝部材２７を取り付けているが、図７中に仮想線で付記するように、同様の樹脂材料から作製された弾性体である緩衝部材２８を照明器具６の上面６ａにおける短辺方向の両端位置に取り付けるようにしてもよい。
【００４１】
このような構成であれば、樹脂材料からなる緩衝部材２７，２８によって照明器具６の上面６ａの全周が囲まれるため、照明器具６の下方から埋込本体２の内奥面２ｂへと空気が流通するのをできるだけ防止することが可能となる。そのため、このような構成である場合には、室内空気が湿潤状態であったとしても、天井裏にまで湿気が侵入することを有効に防止し得るという利点が確保される。
【００４２】
【発明の効果】
以上説明したように、本発明の構成とされた昇降形照明装置によれば、照明器具が長尺状であったとしても、埋込本体内で上昇動作を停止して収納された照明器具の水平バランスを容易に確保することが可能となる。そのため、従来のようなバランスウエイトによる調整が不要となり、確実に照明器具の水平バランスを取ることができるという効果が得られる。
【００４３】
また、緩衝部材が可動形状を有する場合や樹脂材料から作製されたものである場合には、埋込本体の内奥面に対する密着性が増すという利点が確保される。さらに、伸縮性を有する樹脂材料からなる緩衝部材を照明器具の上面の長辺方向及び短辺方向の両端位置に取り付けている場合には、照明器具の下方から埋込本体の内奥面への空気流通を防止することが可能となり、天井裏にまで湿気が侵入するのを有効に防止できるという利点が確保される。
【図面の簡単な説明】
【図１】実施の形態１にかかる昇降形照明装置の全体構成を示す外観斜視図であり、照明器具が下降動作中の状態を示している。
【図２】実施の形態１にかかる昇降形照明装置をその長辺方向から半断面して見た全体構成を示す側面図であり、照明器具が埋込本体に収納された状態を示している。
【図３】実施の形態１にかかる昇降形照明装置をその短辺方向から半断面して見た全体構成を示す側面図であり、照明器具が埋込本体に収納された状態を示している。
【図４】実施の形態２にかかる昇降形照明装置の全体構成を示す外観斜視図であり、照明器具が下降動作中の状態を示している。
【図５】実施の形態２にかかる昇降形照明装置をその長辺方向から半断面して見た全体構成を示す側面図であり、照明器具が埋込本体に収納された状態を示している。
【図６】実施の形態２にかかる昇降形照明装置をその短辺方向から半断面して見た全体構成を示す側面図であり、照明器具が埋込本体に収納された状態を示している。
【図７】実施の形態３にかかる昇降形照明装置の全体構成を示す外観斜視図であり、照明器具が下降動作中の状態を示している。
【図８】実施の形態３にかかる昇降形照明装置をその長辺方向から半断面して見た全体構成を示す側面図であり、照明器具が埋込本体に収納された状態を示している。
【図９】実施の形態３にかかる昇降形照明装置をその短辺方向から半断面して見た全体構成を示す側面図であり、照明器具が埋込本体に収納された状態を示している。
【符号の説明】
１    昇降形照明装置
２    埋込本体
２ｂ  内奥面
４    昇降装置
６    照明器具
６ａ  上面
１１    緩衝部材
２１    昇降形照明装置
２２    緩衝部材
２５    昇降形照明装置
２７    緩衝部材
２８    緩衝部材
【図１】
2005011682.tif 000003
【図２】
2005011682.tif 000004
【図３】
2005011682.tif 000005
【図４】
2005011682.tif 000006
【図５】
2005011682.tif 000007
【図６】
2005011682.tif 000008
【図７】
2005011682.tif 000009
【図８】
2005011682.tif 000010
【図９】
2005011682.tif 000011